(57)【要約】【課題】ボール受け座を有する押圧部材を備えたにもかかわらず、ボールへの円滑なインキ流通性が得られるボールペンを提供する。【解決手段】筒体４が、前端にボール３が抱持された直円筒状の小径筒部４１と、該小径筒部４１より後方に一体に連設され且つ後方に向かうに従い拡径するテーパ筒部４２と、該テーパ筒部４２より後方に一体に連設される直円筒状の大径筒部４３とを備える。押圧部材５が、前端にボール受け座５１ａが形成された小径部５１と、該小径部５１より後方に連設され且つ該小径部５１より大きい外径を有する大径部５２とを備える。弾発部材６が押圧部材５を前方付勢する。押圧部材５の後方移動を規制する規制壁部４３ａが筒体４内に形成される。小径部５１が、筒体４の小径筒部４１の内部及びテーパ筒部４２の内部に収容され、大径部５２が、筒体４の大径筒部４３の内部に摺動可能に収容される。【選択図】  図２
2017114090.tif 000002
【特許請求の範囲】
【請求項１】
金属製の筒体の前端に形成された内向きの前端縁部と、前記前端縁部の後方の筒体内に前後方向の移動可能に収容され且つ前端にボール受け座が形成された押圧部材と、前記前端縁部と前記押圧部材のボール受け座との間で回転可能に抱持されたボールと、前記筒体内に形成され且つ前記押圧部材の後方移動を規制する規制壁部と、前記押圧部材を前方に付勢する弾発部材と、を備え、非筆記状態において前記弾発部材が押圧部材を前方付勢することにより前記ボールが前記前端縁部の内面に密接されてなるボールペンであって、前記筒体が、前端にボールが抱持された直円筒状の小径筒部と、該小径筒部より後方に一体に連設され且つ後方に向かうに従い拡径するテーパ筒部と、該テーパ筒部より後方に一体に連設される直円筒状の大径筒部と、を備え、前記押圧部材が、前端にボール受け座が形成された小径部と、該小径部より後方に連設され且つ該小径部より大きい外径を有する大径部と、を備え、前記小径部が、前記筒体の小径筒部の内部及びテーパ筒部の内部に収容され、前記大径部が、前記筒体の大径筒部の内部に摺動可能に収容されることを特徴とするボールペン。
【請求項２】
前記規制壁部が前記大径筒部の内面に形成される請求項１記載のボールペン。
【発明の詳細な説明】
【技術分野】
【０００１】
本発明は、ボールペンに関する。
【背景技術】
【０００２】
従来この種のボールペンにおいて、例えば、特許文献１には、修正液を充填する液タンクに先端ホルダーを介してチップが装着され、該チップに抱持されている球状塗布体を、スプリングによりチップ先端の液塗布口方向に付勢せしめてその一部を該液塗布口から突出臨かせて置き、球状塗布体をスプリングに抗して液塗布口から後退離間せしめて同液塗布口を開弁する弁機構を備えた塗布具に於いて、前記チップ内に押し子と、この押し子を液塗布口方向に弾発するスプリングとを装填してなり、前記押し子に球状塗布体を回転自在に保持させる座部を設け、且つチップにはスプリングに抗した球状塗布体の後退移動範囲を規制する押し子当接部を設けて、液塗布口の開弁時に押し子が前記押し子当接部に当接する様に構成したことを特徴とする塗布具が開示されている。
【０００３】
また、特許文献２には、前端に転写用ボールを回転自在に抱持させたチップを、インク収容部を設けたチューブの前端に嵌着させてなるボールペンにおいて、前記転写用ボールの後面を、前記チップの軸線を前後方向にして前向きに弾性付勢させたボール受座で押圧して、転写用ボールを、チップの前端のボール抱持部の内面の全周に亘って密接させたことを特徴とするボールペンが記載されている。
【先行技術文献】
【特許文献】
【０００４】
【特許文献１】特開平８−１８３２８５号公報
【特許文献２】特開２００３−２５７８６号公報
【発明の概要】
【発明が解決しようとする課題】
【０００５】
前記特許文献１のボールペンは、チップ内に押し子とスプリングとが同心状に重ねて収容されているため、ボールへの円滑なインキ流通性が得られないおそれがある。また、前記特許文献２のボールペンは、ボール受座の後端面が当接する内向段部が、チップ前端部のボールの近傍に形成されている。そのため、ボールへの円滑なインキ流通性が得られないおそれがある。
【０００６】
本発明は、前記従来の不具合を解消するものであって、ボール受け座を有する押圧部材を備えたにもかかわらず、ボールへの円滑なインキ流通性が得られるボールペンを提供しようとするものである。
尚、本発明において、「前」とはボールペンチップ側を指し、「後」とはその反対側を指す。
【課題を解決するための手段】
【０００７】
本願の第１の発明は、金属製の筒体４の前端に形成された内向きの前端縁部４１ａと、前記前端縁部４１ａの後方の筒体４内に前後方向の移動可能に収容され且つ前端にボール受け座５１ａが形成された押圧部材５と、前記前端縁部４１ａと前記押圧部材５のボール受け座５１ａとの間で回転可能に抱持されたボール３と、前記筒体４内に形成され且つ前記押圧部材５の後方移動を規制する規制壁部４３ａと、前記押圧部材５を前方に付勢する弾発部材６と、を備え、非筆記状態において前記弾発部材６が押圧部材５を前方付勢することにより前記ボール３が前記前端縁部４１ａの内面に密接されてなるボールペンであって、前記筒体４が、前端にボール３が抱持された直円筒状の小径筒部４１と、該小径筒部４１より後方に一体に連設され且つ後方に向かうに従い拡径するテーパ筒部４２と、該テーパ筒部４２より後方に一体に連設される直円筒状の大径筒部４３と、を備え、前記押圧部材５が、前端にボール受け座５１ａが形成された小径部５１と、該小径部５１より後方に連設され且つ該小径部５１より大きい外径を有する大径部５２と、を備え、前記小径部５１が、前記筒体４の小径筒部４１の内部及びテーパ筒部４２の内部に収容され、前記大径部５２が、前記筒体４の大径筒部４３の内部に摺動可能に収容されることを特徴とする。
【０００８】
前記第１の発明のボールペン１は、前記押圧部材５の小径部５１が、前記筒体４の小径筒部４１の内部及びテーパ筒部４２の内部に収容され、前記大径部５２が、前記筒体４の大径筒部４３の内部に摺動可能に収容されることにより、ボール後方の大きなボールペンチップ２内の空間が確保でき、ボールへの円滑なインキ流通性が得られる。
【０００９】
本願の第２の発明は、前記第１の発明のボールペンにおいて、前記規制壁部４３ａが前記大径筒部４３の内面に形成されることを要件とする。
【００１０】
前記第２の発明のボールペン１は、前記規制壁部４３ａが前記大径筒部４３の内面に形成されることにより、より一層、ボールへの円滑なインキ流通性が得られる。
【発明の効果】
【００１１】
本発明のボールペンによれば、ボール受け座を有する押圧部材を備えたにもかかわらず、ボールへの円滑なインキ流通性が得られる
【図面の簡単な説明】
【００１２】
【図１】本発明の実施の形態の要部縦断面図である。
【図２】図１の非筆記状態を示す要部拡大縦断面図である。
【図３】図２の要部拡大縦断面図である。
【図４】図１の筆記状態を示す要部拡大縦断面図である。
【図５】図４の要部拡大縦断面図である。
【図６】図１の押圧部材の斜視図である。
【発明を実施するための形態】
【００１３】
図１乃至図６に本発明の実施の形態を示す。
【００１４】
・ボールペン
本実施の形態のボールペン１は、前端部にボール３を回転可能に抱持したボールペンチップ２と、該ボールペンチップ２の後部がその前部に圧入固着されたホルダー７と、該ホルダー７の後部がその前端開口部に圧入固着されたインキ収容筒８と、前記ボールペンチップ２の内部に収容配置された押圧部材５及び弾発部材６とを備える。
【００１５】
・ボールペンチップ
前記ボールペンチップ２は、金属製の筒体４とボール３と押圧部材５と弾発部材６とを備える。前記筒体４が、直円筒状の小径筒部４１と、該小径筒部４１より後方に連設され且つ後方に向かうに従い拡径するテーパ筒部４２と、該テーパ筒部４２より後方に連設される直円筒状の大径筒部４３とからなる。前記筒体４は、例えば、ＳＵＳ３０４、ＳＵＳ３０５、ＳＵＳ３２１等のオーステナイト系ステンレス鋼により得られる。また、前記筒体４の前端には、周状に内方に押圧変形されることにより、内向きの前端縁部４１ａが形成される。
【００１６】
・規制壁部、係止壁部
前記大径筒部４３の中間部内壁には規制壁部４３ａが形成される。前記規制壁部４３ａは、内方突起（例えば、環状の内方突起、または周状に分散配置される複数の内方突起）により形成される。前記内方突起は内方への押圧変形により形成される。
【００１７】
前記大径筒部４３の後端内壁には係止壁部４３ｂが形成される。前記係止壁部４３ｂは、内方突起（例えば、環状の内方突起、または周状に分散配置される複数の内方突起）により形成される。前記内方突起は内方への押圧変形により形成される。尚、前記係止壁部４３ｂは、これ以外にも、ホルダー７の内面に形成することもできる。
【００１８】
・ホルダー
前記ホルダー７は合成樹脂（例えば、ポリプロピレン）の射出成形によって得られる筒状体である。前記ホルダー７は、ボールペンチップ２が取り付けられる先細状の前部と、インキ収容筒８の先端面に当接する鍔部と、インキ収容筒８の前端開口部に圧入される後部とからなる。
【００１９】
・インキ収容筒
前記インキ収容筒８は、合成樹脂（例えば、ポリプロピレン）の押出成形により得られる、両端が開口された円筒状部材である。前記インキ収容筒８の内部には、インキと、該インキの消費に伴って前進する高粘度流体からなる追従体が充填される。
【００２０】
・押圧部材
前記押圧部材５が、前端にボール受け座５１ａが形成された棒状（直円柱状）の小径部５１と、該小径部５１より後方に連設され且つ該小径部５１より大きい外径を有する大径部５２とからなる。
【００２１】
前記筒体４の前端縁部４１ａと規制壁部４３ａの間に、ボール及び押圧部材５が前後方向に移動可能に収容される。前記大径部５２の後端が前記規制壁部４３ａに当接され、後方移動が規制される。
【００２２】
・小径部
前記小径部５１が、筒体４の小径筒部４１の内部及びテーパ筒部４２の内部に収容される。
前記小径部５１の前端のボール受け座５１ａは、小径部５１の前端面に凹面（ボール３の曲率と同じ曲率の凹面）または平面により形成される。前記ボール受け座５１ａの前面と前記前端縁部４１ａの後面との間でボール３が回転可能に抱持される。前記小径部５１の外径は、筒体４の小径筒部４１の内径及びテーパ筒部４２の内径より小さく設定される。それにより、小径部５１の外面と、筒体４の小径筒部４１の内面及びテーパ筒部４２の内面との間にインキ流通間隙を形成できる。特に、小径部５１の前端のボール受け座５１ａは、凹面により形成することにより、ボールの径方向のがたつきを防止できる。
【００２３】
・大径部
前記大径部５２が、筒体４の大径筒部４３の内部に摺動可能に収容される。前記大径部５２の外周面には、前後方向に延びる複数本のインキ流通溝５２ａが貫設される。前記大径部５２が大径筒部４３の内面に摺動可能に収容されることにより、前記大径部５２の外面が大径筒部４３の内面にガイドされるため、小径部５１の径方向のがたつきが抑えられ、安定した筆記が可能となる。
【００２４】
・弾発部材
前記弾発部材６は、金属線材（例えば、ステンレス鋼製線材）を螺旋状（コイル状）に巻回された圧縮コイルスプリングよりなる。前記弾発部材６の前端部が先細形状に形成される。前記弾発部材６の前端が規制壁部４３ａを前後に通過して押圧部材５の後端（大径部５２の後端）に当接される。前記弾発部材６の後端が、ボールペンチップ２後端（大径筒部４３の後端）の係止壁部４３ｂに当接される。弾発部材６により、押圧部材５及びボール３が常時前方に付勢される。
【００２５】
非筆記状態において、前記前端縁部４１ａの内面とボール３とが密接され、ペン先からのインキ漏出が防止される。筆記状態において、ボール３と前端縁部４１ａとの密接が解除されるとともに、ボール３の後方移動に伴い前記押圧部材５が後退され、前記押圧部材５の後端が規制壁部４３ａに当接され、一定のインキ吐出量を維持しながらボール３を安定してボール受け座５１ａに接触させ、円滑な筆記が可能となる。
【００２６】
本実施の形態のボールペン１は、前記押圧部材５の小径部５１が、前記筒体４の小径筒部４１の内部及びテーパ筒部４２の内部に収容され、前記大径部５２が、前記筒体４の大径筒部４３の内部に摺動可能に収容されることにより、ボール後方の大きなボールペンチップ２内の空間が確保でき、ボールへの円滑なインキ流通性が得られる。
【００２７】
本実施の形態のボールペン１は、前記規制壁部４３ａが前記大径筒部４３の内面に形成されることにより、より一層、ボールへの円滑なインキ流通性が得られる。
【符号の説明】
【００２８】
１  ボールペン
２  ボールペンチップ
３  ボール
４  筒体
４１  小径筒部
４１ａ  前端縁部
４２  テーパ筒部
４３  大径筒部
４３ａ  規制壁部
４３ｂ  係止壁部
５  押圧部材     
５１  小径部
５１ａ  ボール受け座
５２  大径部
５２ａ  インキ流通溝
６  弾発部材
７  ホルダー
８  インキ収容筒
【図１】
2017114090.tif 000003
【図２】
2017114090.tif 000004
【図３】
2017114090.tif 000005
【図４】
2017114090.tif 000006
【図５】
2017114090.tif 000007
【図６】
2017114090.tif 000008